(57)【要約】【課題】配線対数を減らすことによる省配線化・省施工化を実現するために、音声信号、制御信号、映像信号を同一線に多重して伝送可能にした集合住宅用テレビインターホン装置を提供する。【解決手段】共用部装置１０、分岐器３０，３１、インターホン２０，２１の各間は一対の共用伝送線路Ａで接続され、インターホン２０，２１と住戸ドアホン子器６０，６１との各間は、分岐器３０，３１を各々介して住戸別伝送線路Ｂで接続されて、共用伝送線路Ａには映像信号、音声信号、及び制御信号が周波数多重されており、インターホン２０が呼び出された該当の住戸である場合、住戸別伝送線路Ｂには音声信号に住戸ドアホン子器６０の電源が重畳されて、分岐器３０はこの電源によって開閉路３０１を切り替えて共用伝送線路Ａの共用部装置側幹線の接続先をインターホン側分岐線とする。【選択図】        図１
2004186837.tif 000002
【特許請求の範囲】
【請求項１】
集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、
前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、
前記共用部装置と前記インターホンとの間を接続し、映像信号、音声信号、及び制御信号が伝送される一対の共用伝送線路と、
前記共用部装置から配線される共用伝送線路の幹線から前記インターホンへ共用伝送線路を分岐する分岐器と、
前記インターホンとの間で音声信号を授受して、住戸の個別玄関先の来訪者が住戸内の住人と会話するための住戸ドアホン子器と、
前記住戸ドアホン子器と前記インターホンとの間を前記分岐器を介して接続し、音声信号が伝送される住戸別伝送線路とから構成され、
前記共用部装置は、映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、
前記インターホン装置は、音声信号及び制御信号を前記共用伝送線路に周波数多重させて送出すると共に、前記共用伝送線路から受信した周波数多重信号を映像信号、音声信号、及び制御信号に分離する第２の信号多重分離手段と、前記住戸別伝送線路に前記住戸ドアホン子器へ供給する電源を重畳させる子器電源重畳手段とを備えて、
前記分岐器は、前記共用伝送線路の共用部装置側幹線の接続先を前記共用伝送線路の送り側幹線と前記共用伝送線路のインターホン側分岐線とのいずれかに切り替える開閉器と、前記共用部装置側幹線と送り側幹線との間に接続されて制御信号のみを通過させる第１の制御帯域通過手段と、前記共用部装置側幹線とインターホン側分岐線との間に接続されて制御信号のみを通過させる第２の制御帯域通過手段と、前記住戸別伝送線路を接続する第１，第２の端子と、前記第１，第２の端子間を短絡した短絡路と、前記短絡路の信号から前記住戸ドアホン子器への供給電源を分離する電源分離手段と、前記電源分離手段で分離した電源が所定電圧以下であれば前記開閉器による接続先を送り側幹線に維持し、所定電圧以上であれば分離した電源によって前記開閉器による接続先をインターホン側分岐線に切り替える開閉器切り替え手段とを備えることを特徴とする集合住宅用テレビインターホン装置。
【請求項２】
前記インターホンの子器電源重畳手段が重畳する前記住戸ドアホン子器への供給電源は、前記住戸ドアホン子器を動作させるための第１の電圧と、前記開閉器を駆動するための前記第１の電圧より高い第２の電圧とのうちいずれかを出力し、前記分岐器の開閉器切り替え手段は前記電源分離手段で分離した電源が前記第１の電圧であれば前記開閉器による接続先を前記共用伝送線路の送り側幹線に維持し、前記第２の電圧であれば前記開閉器による接続を前記共用伝送線路のインターホン側分岐線に切り替えることを特徴とする請求項１記載の集合住宅用テレビインターホン装置。
【請求項３】
集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段、直流電源を具備する共用部装置と、
前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、
前記共用部装置と前記インターホンとの間を接続し、映像信号、音声信号、制御信号、及び直流電源が伝送される一対の共用伝送線路と、
前記共用部装置から配線される共用伝送線路の幹線から前記インターホンへ共用伝送線路を分岐する分岐器と、
前記インターホンとの間で音声信号を授受して、住戸の個別玄関先の来訪者が住戸内の住人と会話するための住戸ドアホン子器と、
前記住戸ドアホン子器と前記インターホンとの間を接続し、音声信号が伝送される住戸別伝送線路とから構成され、
前記共用部装置は、映像信号、音声信号、制御信号、及び直流電源を前記共用伝送線路に周波数多重させて送出すると共に、前記共用伝送線路から受信した周波数多重信号を音声信号及び制御信号に分離する第１の信号多重分離手段を備え、
前記インターホン装置は、音声信号及び制御信号を前記共用伝送線路に周波数多重させて送出すると共に、前記共用伝送線路から受信した周波数多重信号を映像信号、音声信号、制御信号、及び直流電源に分離する第２の信号多重分離手段と、自アドレスが前記共用部装置からの制御信号に含まれるアドレスに該当すれば前記共用部装置の直流電源から供給される電流を消費する負荷とを備えて、
前記分岐器は、前記共有伝送線路の幹線と分岐線との間で一対の共有伝送線路の各信号の伝送方向に対して順方向に各々接続した一対のダイオードと、前記共有伝送線路の幹線と分岐線との間に接続されて制御信号のみを通過させる制御帯域通過手段とを備えて、前記一対のダイオードは前記共用部装置の直流電源から供給される電流によって導通することを特徴とする集合住宅用テレビインターホン装置。
【請求項４】
前記分岐器は、前記共有伝送線路の幹線と分岐線との間で一対の共有伝送線路の各信号の伝送方向に対して順方向に各々接続した一対の第１のダイオードと、前記共有伝送線路の幹線と分岐線との間に接続されて制御信号のみを通過させる第１の制御帯域通過手段と、分岐後の幹線に一対の共有伝送線路の各信号の伝送方向に対して順方向に各々接続した一対の第２のダイオードと、分岐後の幹線に接続されて制御信号のみを通過させる第２の制御帯域通過手段とを備えて、前記一対の第１及び第２のダイオードは前記共用部装置の直流電源から供給される電流によって導通することを特徴とする請求項３記載の集合住宅用テレビインターホン装置。
【発明の詳細な説明】
【０００１】
【発明の属する技術分野】
本発明は、マンション等の集合住宅用テレビインターホン装置に関するものである。
【０００２】
【従来の技術】
図４に、従来のテレビインターホン装置の一例として、一般的な集合住宅用途のテレビインターホン装置の構成を示す。一般的な集合住宅用途のテレビインターホン装置は、各住戸内で共用玄関先の来訪者と会話することができると共に、来訪者をカメラ付のロビーインターホンで撮像することにより、各住戸内のモニタで来訪者を確認することができる。図４では、このロビーインターホンとして共用部装置１０を備え、各住戸にはインターホン２０が設置され、共用部装置１０からの幹線は分配器４０によって複数の幹線（系統）に分配され、分配後の各幹線は分岐器３０によって各住戸のインターホン２０に分岐される。また、各住戸の個別玄関先には住戸ドアホン子器６０が設けられ、個別玄関先の来訪者が住戸内の住人と会話することができる。
【０００３】
共用部装置１０からは幹線として共用伝送線路Ｄ０が分配器４０を介して配線されており、分配器４０によって２系統に分配される。分配後の共用伝送線路Ｄ０は分岐器３０によって各住戸に分岐された後、インターホン２０に接続される。この共用伝送線路Ｄ０は、一般的に多芯ツイストペアケーブルで構成され、伝送線路Ｄ１、伝送線路Ｄ２、伝送線路Ｄ３は、それぞれ共用伝送線路Ｄ０の同一シース内に収められた一対のケーブルである。
【０００４】
また、インターホン２０から住戸ドアホン子器６０までは一対のケーブルからなる住戸別伝送線路Ｂが配線されている。住戸別伝送線路Ｂは一般に、共用伝送線路Ｄ０とは別シースのケーブルにて配線されるが、共用伝送線路Ｄ０内の一対の伝送線路を用いてもよい。
【０００５】
次に各部の構成について説明する。まず共用部装置１０は、共用部装置１０の内部回路を制御すると共にインターホン２０と通信を行うための制御を行うＣＰＵ１０１と、ＣＰＵ１０１によって伝送線路Ｄ１に制御信号を送出すると共に受信する制御信号送受信回路１０２と、住戸内の住人と会話するため音声信号を出力するスピーカ１０３と、スピーカ１０３への音声信号を増幅するスピーカアンプ１０４と、住戸内の住人と会話するため音声信号を入力するマイク１０５と、マイク１０５からの音声信号を増幅するマイクアンプ１０６と、スピーカアンプ１０４及びマイクアンプ１０６に接続されて２線４線変換回路を含み伝送線路Ｄ２に音声信号を送出すると共に受信する音声回路１０７と、共用玄関先の来訪者を撮像して映像信号を出力するカメラ部１０８と、映像信号をＦＭ変調するＦＭ変調部１０９と、映像信号を増幅する増幅器１１０と、映像信号の不平衡−平衡変換を行って伝送線路Ｄ３に映像信号を送出するとトランス１１１と、本装置にＡＣ１００Ｖを変換した電源を供給する電源部１１２とを備える。
【０００６】
インターホン２０は、インターホン２０の内部回路を制御すると共に共用部装置１０と通信を行うための制御を行うＣＰＵ２０１と、ＣＰＵ２０１によって伝送線路Ｄ１に制御信号を送出すると共に受信する制御信号送受信回路２０２と、共用玄関先及び個別玄関先の来訪者と会話するため音声信号を出力するスピーカ２０３と、スピーカ２０３への音声信号を増幅するスピーカアンプ２０４と、共用玄関先及び個別玄関先の来訪者と会話するため音声信号を入力するマイク２０５と、マイク２０５からの音声信号を増幅するマイクアンプ２０６と、スピーカアンプ２０４及びマイクアンプ２０６に接続されて２線４線変換回路を含み伝送線路Ｄ２に音声信号を送出すると共に受信する音声回路２０７と、伝送線路Ｄ３から映像信号を受信して平衡−不平衡変換を行うトランス２１１と、映像信号を増幅する増幅器２１０と、映像信号をＦＭ復調するＦＭ復調部２０９と、映像信号を表示する表示部２０８と、本装置にＡＣ１００Ｖを変換した電源を供給する電源部２１２と、住戸ドアホン子器６０との通話のための音声双方向増幅回路や音声回路２０７を接続する開閉路回路などで構成されて住戸別伝送線路Ｂに音声信号を送出すると共に受信する子器インターフェース回路２１３と、住戸ドアホン子器６０を動作させるための電源を供給する子器電源部２１４と、住戸別伝送線路Ｂに子器電源部２１４の電源を重畳するためのトランジスタ回路からなる子器電源重畳部２１５とを備える。
【０００７】
分配器４０は、制御信号を伝送する伝送線路Ｄ１、音声信号を伝送する伝送線路Ｄ２をいずれの電気回路も介さず２系統に分配し、映像信号を伝送する伝送線路Ｄ３を映像信号分配トランス４０１によって２系統に分配する。
【０００８】
分岐器３０は、制御信号を伝送する伝送線路Ｄ１、音声信号を伝送する伝送線路Ｄ２をいずれの電気回路も介さず２系統に分岐し、映像信号を伝送する伝送線路Ｄ３を映像信号分岐トランス３０１によって２系統に分岐する。映像信号分岐トランス３０１は、幹線側のインピーダンスが伝送線路Ｄ３の特性インピーダンスより十分高く、分岐側のインピーダンスが伝送線路Ｄ３の特性インピーダンスに整合している。
【０００９】
次にこの従来例の動作について説明する。まず、通話先の住戸番号アドレスを含む制御信号が共用部装置１０の制御信号送受信回路１０２から伝送線路Ｄ１に送出されると、この制御信号はインターホン２０の制御信号送受信回路２０２を介してＣＰＵ２０１に入力され、インターホン２０は制御信号に応じた動作を行う。制御信号は、分配器４０及び分岐器３０において、いずれの電気回路も介さずそれぞれ分岐、分配されるので、共用部装置１０から送出された制御信号は伝送線路Ｄ１に接続される全てのインターホンに伝送され、制御信号に含まれる住戸番号アドレスに該当したインターホンのみが制御信号にしたがって音声回路２０７及び表示部２０８を動作させ、共用部装置１０と通話状態になる。
【００１０】
音声の伝送は一般に、分配器４０及び分岐器３０において、いずれの電気回路も介さず、それぞれ分岐、分配されて、以下のように行われる。共用部装置１０では、伝送線路Ｄ２を伝達された音声信号は、音声回路１０７及びスピーカアンプ１０４を介して、スピーカ１０３から出力され、マイク１０５で入力された音声信号は、マイクアンプ１０６及び音声回路１０７を介して伝送線路Ｄ２に伝達される。また、インターホン２０でも同様に、伝送線路Ｄ２を伝達された音声信号は、音声回路２０７及びスピーカアンプ２０４を介して、スピーカ２０３から出力され、マイク２０５で入力された音声信号は、マイクアンプ２０６及び音声回路２０７を介して伝送線路Ｄ２に伝達される。このように来訪者と住人とは互いに会話することが可能となる。
【００１１】
次に映像信号の伝送について、以下説明する。共用部装置１０内のカメラ部１０８により撮像された来訪者の映像は、映像信号をＦＭ変調部１０９でＦＭ変調した後、増幅器１１０及び不平衡−平衡変換をするためのトランス１１１を介して、伝送線路Ｄ３に出力される。伝送線路Ｄ３は分配器４０により複数の幹線に分配（枝分かれ）させることが可能である。映像信号の分配は図４に示すように映像信号分配トランス４０１を用いる方法や、図示しないが、１入力／複数出力の増幅回路を用いて増幅分配する方法がある。伝送線路Ｄ３の幹線から各住戸へ至る伝送線路には分岐器３０を介在・接続して分岐する。映像信号の分岐には、映像信号分岐トランス３０１を用いる。
【００１２】
分配器４０及び分岐器３０を介してインターホン２０に入力された映像信号は、平衡−不平衡変換のためのトランス２１１及び増幅器２１０を介して、ＦＭ復調部２０９に入力されてＦＭ復調され、住戸内の住人は、表示部２０８にて、来訪者を確認できる。
【００１３】
上記従来例では、映像信号、音声信号、制御信号を別々の伝送線路で伝達しているが、映像信号と音声信号と直流電圧のみを周波数多重して伝達する伝送線路と、制御信号を伝達する伝送線路との２つの伝送線路を備えた集合住宅用テレビインターホン装置や、映像信号と直流電圧のみを周波数多重して伝達する伝送線路と、制御信号を伝達する伝送線路との２つの伝送線路を備えた集合住宅用テレビインターホン装置もあった。（例えば、特許文献１，２参照。）。
【００１４】
また従来技術として、集合住宅ではなく、戸建て住宅のインターホン装置（すなわち分岐器を用いない通信）においては、子器給電用の直流電源、音声信号、制御信号、映像信号を一対の伝送線路で周波数多重して伝送するものがある。図５は、各信号の伝送周波数帯域の概略を示しており、直流電源はＤＣ、音声信号は１ＫＨｚ帯、制御信号はＦＳＫ（Ｆｒｅｑｕｅｎｃｙ  Ｓｈｉｆｔ  Ｋｅｙｉｎｇ）によって１００ＫＨｚ帯、映像信号はＦＭ変調によって１ＭＨｚ帯に分布している。
【００１５】
【特許文献１】
特許第３３１１５３６号公報（６頁右欄第２４行〜第２９行、７頁左欄第２３行〜第３８行、図１２）
【特許文献２】
特開２００２−９４９７４号公報（２頁右欄第１５行〜２１行、３頁右欄第１行〜右欄第１６行、図１（ａ），（ｂ）、図３）
【００１６】
【発明が解決しようとする課題】
従来の集合住宅用途のテレビインターホン装置においては、音声信号、制御信号、映像信号が別線で伝送されることから、ケーブルの対数が多くなり、そのためケーブルが曲がりにくいなど扱いづらく、またケーブルコストも高くなっていた。
【００１７】
さらに、各機器における端子数が多くなるため、結線の仕方がわかりづらく、施工ミスが発生し易いという問題があった。
【００１８】
本発明は、上記事由に鑑みてなされたものであり、その目的は、配線対数を減らすことによる省配線化・省施工化を実現するために、音声信号、制御信号、映像信号を同一線に多重して伝送可能にした集合住宅用テレビインターホン装置を提供することにある。
【００１９】
【課題を解決するための手段】
請求項１の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、映像信号、音声信号、及び制御信号が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を前記分岐器を介して接続し、音声信号が伝送される住戸別伝送線路とから構成され、前記共用部装置は、映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を映像信号、音声信号、及び制御信号に分離する第２の信号多重分離手段と、前記住戸別伝送線路に前記住戸ドアホン子器へ供給する電源を重畳させる子器電源重畳手段とを備えて、前記分岐器は、前記共用伝送線路の共用部装置側幹線の接続先を前記共用伝送線路の送り側幹線と前記共用伝送線路のインターホン側分岐線とのいずれかに切り替える開閉器と、前記共用部装置側幹線と送り側幹線との間に接続されて制御信号のみを通過させる第１の制御帯域通過手段と、前記共用部装置側幹線とインターホン側分岐線との間に接続されて制御信号のみを通過させる第２の制御帯域通過手段と、前記住戸別伝送線路を接続する第１，第２の端子と、前記第１，第２の端子間を短絡した短絡路と、前記短絡路の信号から前記住戸ドアホン子器への供給電源を分離する電源分離手段と、前記電源分離手段で分離した電源が所定電圧以下であれば前記開閉器による接続先を送り側幹線に維持し、所定電圧以上であれば分離した電源によって前記開閉器による接続先をインターホン側分岐線に切り替える開閉器切り替え手段とを備えることを特徴とする。
【００２０】
請求項２の発明は，請求項１において、前記インターホンの子器電源重畳手段が重畳する前記住戸ドアホン子器への供給電源は、前記住戸ドアホン子器を動作させるための第１の電圧と、前記開閉器を駆動するための前記第１の電圧より高い第２の電圧とのうちいずれかを出力し、前記分岐器の開閉器切り替え手段は前記電源分離手段で分離した電源が前記第１の電圧であれば前記開閉器による接続先を前記共用伝送線路の送り側幹線に維持し、前記第２の電圧であれば前記開閉器による接続を前記共用伝送線路のインターホン側分岐線に切り替えることを特徴とする。
【００２１】
請求項３の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段、直流電源を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、映像信号、音声信号、制御信号、及び直流電源が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を接続し、音声信号が伝送される住戸別伝送線路とから構成され、前記共用部装置は、映像信号、音声信号、制御信号、及び直流電源を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を映像信号、音声信号、制御信号、及び直流電源に分離する第２の信号多重分離手段と、自アドレスが前記共用部装置からの制御信号に含まれるアドレスに該当すれば前記共用部装置の直流電源から供給される電流を消費する負荷とを備えて、前記分岐器は、前記共有伝送線路の幹線と分岐線との間で一対の共有伝送線路の各信号の伝送方向に対して順方向に各々接続した一対のダイオードと、前記共有伝送線路の幹線と分岐線との間に接続されて制御信号のみを通過させる制御帯域通過手段とを備えて、前記一対のダイオードは前記共用部装置の直流電源から供給される電流によって導通することを特徴とする。
【００２２】
請求項４の発明は、請求項３において、前記分岐器は、前記共有伝送線路の幹線と分岐線との間で一対の共有伝送線路の各信号の伝送方向に対して順方向に各々接続した一対の第１のダイオードと、前記共有伝送線路の幹線と分岐線との間に接続されて制御信号のみを通過させる第１の制御帯域通過手段と、分岐後の幹線に一対の共有伝送線路の各信号の伝送方向に対して順方向に各々接続した一対の第２のダイオードと、分岐後の幹線に接続されて制御信号のみを通過させる第２の制御帯域通過手段とを備えて、前記一対の第１及び第２のダイオードは前記共用部装置の直流電源から供給される電流によって導通することを特徴とする。
【００２３】
【発明の実施の形態】
以下、本発明の実施の形態を図面に基づいて説明する。
【００２４】
（実施形態１）
図１に示す本実施形態において、集合住宅用テレビインターホン装置の基本構成は図４に示した従来の集合住宅用テレビインターホン装置の構成と略同様であり、また、図４と同様の構成には同一の符号を付して説明は省略する。
【００２５】
本実施形態において、共用部装置１０、分岐器３０，３１、インターホン２０，２１の各間は一対の共用伝送線路Ａで接続され、インターホン２０は共用伝送線路Ａの幹線から分岐器３０で分岐して接続されて、インターホン２１は共用伝送線路Ａの幹線から分岐器３１で分岐して接続される。インターホン２０，２１と住戸ドアホン子器６０，６１との各間は、分岐器３０，３１を各々介して住戸別伝送線路Ｂで接続されている。
【００２６】
そして、共用部装置１０内で制御信号を送受信する制御信号送受信回路１０２、音声信号を送受信する音声回路１０７、映像信号を送信するトランス１１１は各々、制御信号多重分離部１１５、音声信号多重分離部１１３、及び映像信号多重部１１４を介して共用伝送線路Ａに接続される。
【００２７】
共用部装置１０内の音声信号多重分離部１１３、映像信号多重部１１４及び制御信号多重分離部１１５は、各伝送信号を各伝送周波数帯域毎に多重・分離するためのもので、各信号の伝送周波数帯域は、高い順に、映像信号、制御信号、音声信号となる。音声信号多重分離部１１３は、主にインダクタ等で構成され、音声信号よりも高い映像信号と制御信号との各伝送帯域のインピーダンスを高くするためのものである。また、映像信号多重部１１４は、主にコンデンサ等で構成され、映像信号よりも低い制御信号と音声信号との各伝送帯域のインピーダンスを高くするためのものである。また、制御信号多重分離部１１５は、主にインダクタやコンデンサ等を組み合わせたバンドパスフィルタで構成され、制御信号よりも低い音声信号と制御信号よりも高い映像信号との各伝送帯域のインピーダンスを高くするためのものである。
【００２８】
また、インターホン２０内で制御信号を送受信する制御信号送受信回路２０２、音声信号を送受信する音声回路２０７、映像信号を受信するトランス２１１は各々、制御信号多重分離部２１８、音声信号多重分離部２１６、及び映像信号分離部２１７を介して共用伝送線路Ａに接続される。
【００２９】
インターホン２０内の音声信号多重分離部２１６、映像信号分離部２１７、及び制御信号多重分離部２１８は、各伝送信号を各伝送周波数帯域毎に多重・分離するためのものである。音声信号多重分離部２１６は、主にインダクタ等で構成され、音声信号よりも高い映像信号と制御信号との各伝送帯域のインピーダンスを高くするためのものである。また、映像信号分離部２１７は、主にコンデンサ等で構成され、映像信号よりも低い制御信号と音声信号との各伝送帯域のインピーダンスを高くするためのものである。また、制御信号多重分離部２１８は、主にインダクタやコンデンサ等を組み合わせたバンドパスフィルタで構成され、制御信号よりも低い音声信号と制御信号よりも高い映像信号との各伝送帯域のインピーダンスを高くするためのものである。
【００３０】
インターホン２１もインターホン２０と同様に構成され、住戸ドアホン子器６１を動作させるための電源を供給する子器電源部２２４と、住戸別伝送線路Ｂに子器電源部２２４の電源を重畳するためのトランジスタ回路からなる子器電源重畳部２２５とを備える。
【００３１】
そして分岐器３０，３１は、共用伝送線路Ａの共用部装置側幹線の接続先を共用伝送線路Ａの送り側幹線とインターホン側分岐線とのいずれかに切り替える開閉器３０１，３１１と、共用伝送線路Ａの共用部装置側幹線と送り側幹線との間に接続されて制御信号のみを通過させるバンドパスフィルタで構成される制御信号多重分離部３０２，３１２と、共用伝送線路Ａの共用部装置側幹線とインターホン側分岐線との間に接続されて制御信号のみを通過させるバンドパスフィルタで構成される制御信号多重分離部３０３，３１３と、インターホン２０からの住戸別伝送線路Ｂを接続する端子３０４，３１４と、住戸ドアホン装置６０，６１からの住戸別伝送線路Ｂを接続する端子３０５，３１５と、端子３０４−３０５間及び端子３１４−３１５間を短絡した短絡路３０９，３１９と、音声信号伝送帯域のインピーダンスを高くして、短絡路３０９，３１９の信号からインターホン２０，２１の電源重畳部２１５，２２５で重畳された電源を分離し、この分離した電源によって開閉器３０１，３１１による接続を共用伝送線路Ａのインターホン側分岐線に切り替える開閉路電源分離部３０６，３１６と備える。
【００３２】
開閉器３０１，３１１による経路がどちらに切り替えられている場合にも、制御信号は制御信号多重分離部３０３，３１３を通過することが可能であり、共用部装置１０から送出された制御信号は共用伝送線路Ａに接続される全てのインターホン２０，２１に伝送される。
【００３３】
以下、本実施形態の一連の動作を説明する。共用部装置１０の図示しない呼出釦を来訪者が押下すると、共用部装置１０は、ＣＰＵ１０１より該当住戸の住戸番号アドレスを含んだ制御信号を制御信号送受信回路１０２、制御信号多重分離部１１５を介して共用伝送線路Ａに送出すると共に、ＦＭ変調部１０９よりカメラ部１０８で撮像されてＦＭ変調された映像信号を増幅器１１０、トランス１１１、映像信号多重部１１４を介して送出し、且つスピーカーアンプ１０４、マイクアンプ１０６、音声回路１０７等を動作させる。
【００３４】
そして、音声信号と映像信号と制御信号とは、音声信号多重分離部１１３、映像信号多重部１１４、制御信号多重分離部１１５により共用伝送線路Ａに周波数多重されて伝送される。このとき、分岐器３０，３１の開閉器３０１，３１１による共用伝送線路Ａの共用部装置側幹線の接続先は、共用伝送線路Ａの送り側幹線となっており、制御信号のみが制御信号多重分離部３０３，３１３のバンドパスフィルタを通過した後、再び共用伝送線路Ａの幹線から分岐した共用伝送線路Ａの分岐線に多重されてインターホン２０，２１に至る。
【００３５】
制御信号は共用伝送線路Ａに接続されている分岐器３０，３１の制御信号多重分離部３０３，３１３を介して伝送され、インターホン２０，２１内の制御信号多重分離部２１８及び制御信号送受信回路２０２を介してＣＰＵ２０１に受信される。そして、インターホン２０は自器が呼び出された該当の住戸である場合、制御信号にしたがってスピーカーアンプ２０４、マイクアンプ２０６、音声回路２０７を動作させると共に、子器電源部２１４から子器電源重畳部２１５を介して住戸別伝送線路Ｂに住戸ドアホン子器６０への電源を重畳させる。
【００３６】
住戸別伝送線路Ｂを中継する分岐器３０では、開閉路電源分離部３０６によって短絡路３０９を伝送される信号から電源を分離し、この電源を用いて開閉路３０１を切り替えて共用伝送線路Ａの共用部装置側幹線の接続先をインターホン側分岐線とする。呼び出されていないインターホン２１は住戸ドアホン子器６１に電源を供給しないので、分岐器３１の開閉路３１１は送り側幹線への接続を維持する。
【００３７】
したがって、共用部装置１０で周波数多重された映像信号と音声信号は、分岐器３０の開閉路３０１を介して、インターホン２０にのみ伝送される。インターホン２０では、音声信号多重分離部２１６を介して音声信号を送受信して、共用部装置１０と通話状態になると共に、表示部２０８を動作させ、映像信号分離部２１７を介して受信した映像信号をＦＭ復調部２０９で復調して表示部２０８に映す。これにより、住人は来訪者と会話することができると共に、来訪者をモニタすることができる。
【００３８】
以上のように、本実施形態によれば、共用部装置１０とインターホン２０との間の共用伝送線路Ａに分岐器３０を介在接続した場合においても、映像信号と音声信号と制御信号とを１対の共用伝送線路Ａで伝送することが可能となる。
【００３９】
さらに、共用伝送線路Ａの幹線からインターホン２０，２１へ至る分岐線への分岐を分岐器３０，３１の開閉路３０１，３１１による切替えで実現することにより、映像信号と音声信号を周波数多重したまま分岐器３０，３１を通過させることができる。
【００４０】
また、開閉路３０１，３１１の駆動電源は、分岐器３０，３１からインターホン２０，２１に至る伝送線路Ａ，Ａに平行配線されている住戸別伝送線路Ｂ，Ｂに重畳している。そのため、共用伝送線路Ａには開閉路３０１，３１１を駆動させるための電源分離部を接続する必要がなく、共用伝送線路Ａの音声信号伝送帯域および映像信号伝送帯域のインピーダンス低下は生じない。
【００４１】
なお、本実施形態の図１においては分岐器及びインターホンを各々２つずつ図示しているが、さらに多くの分岐器及びインターホンを同様に備えていてもよい。
【００４２】
（実施形態２）
本実施形態は、図１に示した構成要素のうち、インターホン２０，２１内の子器電源部２１４，２２４を、図２に示すように、住戸ドアホン子器６０，６１を動作させることが可能な第１の電圧レベルＶ１と、分岐器３０，３１内の開閉路３０１，３１１を駆動可能な第２の電圧レベルＶ２との２つの電圧レベルを切り替えて出力できるようにしたものである。
【００４３】
第２の電圧レベルＶ２は第１の電圧レベルＶ１よりも高いレベルに設定されており、分岐器３０，３１内の開閉路電源分離部３０６，３１６は、前述の２つの電圧レベルを識別し、第２の電圧レベルを検出した場合のみ開閉路３０１，３１１を分岐側に切り替え、第１の電圧レベルを検出した場合及び住戸ドアホン子器６０，６１への電源供給が行われていない場合には開閉路３０１，３１１を送り幹線側に接続した状態に維持する。したがって、例えば共用部装置１０とインターホン２０が通話状態にあるときに、共用部装置１０からインターホン２０に至る共用伝送線路Ａに接続されているインターホン２１の住戸ドアホン子器６１が動作することによって、インターホン２１が接続された分岐器３１の開閉路３１１が分岐側に切り替わり、共用部装置１０とインターホン２０との通話が切断されるという不具合が無くなる。
【００４４】
（実施形態３）
図３に示す本実施形態では、図１に示したインターホン２０に開閉器２１９、コンデンサ２２０，２２１を付加して、インターホン２０内で共用伝送線路Ａをコンデンサ２２０を介して制御信号多重分離部２１８に接続し、共用伝送線路Ａとコンデンサ２２０との接続点は開閉器２１９、音声信号多重分離部２１６、コンデンサ２２１の直列回路を介して音声回路２０７に接続し、開閉器２１９と音声信号多重分離部２１６との接続点を映像信号分離部２１７に接続している。開閉器２１９は開放することによって音声信号多重分離部２１６及び映像信号分離部２１７への音声信号と映像信号との伝達を遮断する。また、インターホン２１も開閉器２２９を同様に備える。
【００４５】
また、共用部装置１０は、図１に示した構成に、電源重畳部１１６、コンデンサ１１７，１１８を備えており、電源重畳部１１６は、電源部１１２からの電源をインターホン２０，２１に供給する直流電源として共用伝送線路Ａの音声信号、映像信号、制御信号に重畳するためのものであり、直流電源が不要な音声回路１０７、制御信号多重分離部１１５に対してはコンデンサ１１８，１１７を各々設けて直流電源を阻止している。なお、映像信号多重部１１４もトランス１１１への直流電源入力を阻止するものである。
【００４６】
さらに、インターホン２０は、開閉器２１９と映像信号分離部２１７の接続点と、回路グランドとの間に負荷回路２２２を設け、インターホン２１も同様に負荷回路２３２を設けており、負荷回路２２２，２３２は、共用部装置１０から供給される直流電流を消費するためのものである。直流電源が不要な音声回路２０７、制御信号多重分離部２１８に対してはコンデンサ２２１，２２０を設けて直流電源を阻止している。なお、映像信号分離部２１７もトランス２１１への直流電源入力を阻止するものである。
【００４７】
分岐器３０，３１は、共有伝送線路Ａの幹線と分岐線との間で一対の電線の各信号の伝送方向に対して順方向に各々接続した一対のダイオード組、及び分岐後の幹線に一対の電線の各信号の伝送方向に対して順方向に各々接続した一対のダイオード組３０８，３１８と、共有伝送線路Ａの幹線と分岐線との間に接続されて制御信号のみを通過させるバンドパスフィルタで構成される制御信号多重分離部，及び分岐後の幹線に接続されて制御信号のみを通過させるバンドパスフィルタで構成される制御信号多重分離部３０７，３１７とを備え、２組づつ設けた一対のダイオード組３０８，３１８はＰＩＮダイオードで構成される。
【００４８】
制御信号は制御信号多重分離部３０７，３１７を通過することが可能であり、共用部装置１０から送出された制御信号は伝送線路Ａに接続される全てのインターホンに伝送される。
【００４９】
以下、本実施形態の一連の動作を説明する。共用部装置１０において図示しない呼出釦を来訪者が押下した場合、共用部装置１０から住戸番号アドレスを含む制御信号が制御信号多重分離部３１７，３０７を介して共用伝送線路Ａに接続されている全てのインターホン２０，２１に伝送され、住戸番号アドレスに該当したインターホン２０においてのみ、制御信号を受信したＣＰＵ２１２によって開閉路２１９が閉じられる。開閉路２１９が閉じられると負荷回路２２２が伝送線路Ａに接続され、分岐器３０の共有伝送線路Ａの幹線と分岐線との間に接続したダイオード組３０８、及び分岐器３１の分岐後の幹線に接続したダイオード組３１８に順方向に電流が流れて、負荷回路２２２にて共用部装置１０の電源重畳部１１６で重畳した直流電流が消費される。
【００５０】
そして、共有伝送線路Ａの幹線と分岐線との間に接続したダイオード組３０８、及び分岐後の幹線に接続したダイオード組３１８は順方向電流が流れることにより、導通状態（オン状態）となり、伝送線路Ａの幹線にインターホン２０に至る分岐線が接続された状態になる。
【００５１】
呼び出されていないインターホン２１は開閉路２２９が閉じないので、分岐器３１の共有伝送線路Ａの幹線と分岐線との間に接続したダイオード組３１８はオフ状態のままであり、インターホン２１に至る分岐線は伝送線路Ａの幹線に接続されない。
【００５２】
したがって、共用部装置１０で周波数多重された映像信号と音声信号は分岐器３１の分岐後の幹線に接続したダイオード組３１８、及び分岐器３０の共有伝送線路Ａの幹線と分岐線との間に接続したダイオード組３０８を介して、インターホン２０にのみ伝送され、映像信号と音声信号を周波数多重したまま分岐器を通過させることができる。
【００５３】
【発明の効果】
請求項１の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、映像信号、音声信号、及び制御信号が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を前記分岐器を介して接続し、音声信号が伝送される住戸別伝送線路とから構成され、前記共用部装置は、映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を映像信号、音声信号、及び制御信号に分離する第２の信号多重分離手段と、前記住戸別伝送線路に前記住戸ドアホン子器へ供給する電源を重畳させる子器電源重畳手段とを備えて、前記分岐器は、前記共用伝送線路の共用部装置側幹線の接続先を前記共用伝送線路の送り側幹線と前記共用伝送線路のインターホン側分岐線とのいずれかに切り替える開閉器と、前記共用部装置側幹線と送り側幹線との間に接続されて制御信号のみを通過させる第１の制御帯域通過手段と、前記共用部装置側幹線とインターホン側分岐線との間に接続されて制御信号のみを通過させる第２の制御帯域通過手段と、前記住戸別伝送線路を接続する第１，第２の端子と、前記第１，第２の端子間を短絡した短絡路と、前記短絡路の信号から前記住戸ドアホン子器への供給電源を分離する電源分離手段と、前記電源分離手段で分離した電源が所定電圧以下であれば前記開閉器による接続先を送り側幹線に維持し、所定電圧以上であれば分離した電源によって前記開閉器による接続先をインターホン側分岐線に切り替える開閉器切り替え手段とを備えるので、集合住宅用途のテレビインターホン装置のように共用部装置とインターホン間の共用伝送線路に分岐器が介在・接続した場合においても、映像信号と制御信号と音声信号とを周波数多重し、１対の共用伝送線路で伝送することが可能となって、対数の少ないケーブルで配線することができ、省配線化・省施工化を実現することができるという効果がある。さらに、映像信号と音声信号を周波数多重したまま、分岐器を通過させることができると共に、映像／音声多重信号の伝送線路には開閉路を駆動するための電源分離部が不要であり、電源分離部の接続による共用伝送線路のインピーダンス低下が生じない。
【００５４】
請求項２の発明は，請求項１において、前記インターホンの子器電源重畳手段が重畳する前記住戸ドアホン子器への供給電源は、前記住戸ドアホン子器を動作させるための第１の電圧と、前記開閉器を駆動するための前記第１の電圧より高い第２の電圧とのうちいずれかを出力し、前記分岐器の開閉器切り替え手段は前記電源分離手段で分離した電源が前記第１の電圧であれば前記開閉器による接続先を前記共用伝送線路の送り側幹線に維持し、前記第２の電圧であれば前記開閉器による接続を前記共用伝送線路のインターホン側分岐線に切り替えるので、住戸ドアホン子器動作時に、開閉路が不必要に切り替わることが無いという効果がある。
【００５５】
請求項３の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段、直流電源を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、映像信号、音声信号、制御信号、及び直流電源が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を接続し、音声信号が伝送される住戸別伝送線路とから構成され、前記共用部装置は、映像信号、音声信号、制御信号、及び直流電源を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を映像信号、音声信号、制御信号、及び直流電源に分離する第２の信号多重分離手段と、自アドレスが前記共用部装置からの制御信号に含まれるアドレスに該当すれば前記共用部装置の直流電源から供給される電流を消費する負荷とを備えて、前記分岐器は、前記共有伝送線路の幹線と分岐線との間で一対の共有伝送線路の各信号の伝送方向に対して順方向に各々接続した一対のダイオードと、前記共有伝送線路の幹線と分岐線との間に接続されて制御信号のみを通過させる制御帯域通過手段とを備えて、前記一対のダイオードは前記共用部装置の直流電源から供給される電流によって導通するので、集合住宅用途のテレビインターホン装置のように共用部装置とインターホン間の共用伝送線路に分岐器が介在・接続した場合においても、映像信号と制御信号と音声信号とを周波数多重し、１対の共用伝送線路で伝送することが可能となって、対数の少ないケーブルで配線することができ、省配線化・省施工化を実現することができるという効果がある。さらに、映像信号と音声信号を周波数多重したまま、分岐器を通過させることができると共に、映像／音声多重信号の伝送線路には開閉路を用いないので、開閉路を駆動するための電源分離部が不要であり、電源分離部の接続による伝送線路のインピーダンス低下が生じない。
【００５６】
請求項４の発明は、請求項３において、前記分岐器は、前記共有伝送線路の幹線と分岐線との間で一対の共有伝送線路の各信号の伝送方向に対して順方向に各々接続した一対の第１のダイオードと、前記共有伝送線路の幹線と分岐線との間に接続されて制御信号のみを通過させる第１の制御帯域通過手段と、分岐後の幹線に一対の共有伝送線路の各信号の伝送方向に対して順方向に各々接続した一対の第２のダイオードと、分岐後の幹線に接続されて制御信号のみを通過させる第２の制御帯域通過手段とを備えて、前記一対の第１及び第２のダイオードは前記共用部装置の直流電源から供給される電流によって導通するので、分岐器より後段への必要のない映像／音声多重信号の伝送を防止できるという効果がある。
【図面の簡単な説明】
【図１】本発明の実施形態１の構成を示す図である。
【図２】本発明の実施形態２の構成の一部を示す図である。
【図３】本発明の実施形態３の構成を示す図である。
【図４】従来例の構成を示す図である。
【図５】同上の信号の伝送周波数帯域を示す図である。
【符号の説明】
１０  共用部装置
２０，２１  インターホン
３０，３１  分岐器
６０，６１  住戸ドアホン子器
３０１，３１１  開閉路
３０２，３０３，３１２，３１３  制御信号多重分離部
３０４，３０５，３１４，３１５  端子
３０６，３１６  開閉路電源分離部
Ａ  共用伝送線路
Ｂ  住戸別伝送線路
【図１】
2004186837.tif 000003
【図２】
2004186837.tif 000004
【図３】
2004186837.tif 000005
【図４】
2004186837.tif 000006
【図５】
2004186837.tif 000007